(57)【要約】【課題】  撮影モードと再生モードとのモード切り替えを片手で簡単に行うことのできる撮影装置を提供する。【解決手段】  デジタルカメラには、横の姿勢と縦の姿勢とを検出する姿勢検出センサが設けられている。デジタルカメラのＣＰＵは、姿勢検出センサが検出した姿勢に応じて選択的にモード切り替えを行う。すなわち、ＣＰＵは、デジタルカメラが横の姿勢であるとき、静止画または動画を撮影し得る撮影モードとし、デジタルカメラが縦の姿勢であるとき、撮影で得られた画像データをＬＣＤに表示させる再生モードとする。また、ＣＰＵは、計時機能を備え、デジタルカメラが所定時間の間縦の姿勢であると撮影モードとし、所定期間内に縦から横の姿勢に戻されると再生モードとするようにしてもよい。【選択図】        図６
2005236883.tif 000002
【特許請求の範囲】
【請求項１】
被写体の撮影を行う撮影モードと、撮影によって得られた画像データを画像表示装置に表示させる再生モードとを備えた撮影装置において、
この撮影装置の姿勢を検出する姿勢検出センサと、
この姿勢検出センサが検出した姿勢に応じて前記撮影モードと前記再生モードとを選択的に切り替える制御手段とを設けたことを特徴とする撮影装置。
【請求項２】
前記制御手段は計時機能を備え、前記姿勢検出センサが検出した姿勢と、この姿勢の継続時間とに応じて、前記撮影モードと前記再生モードとを選択的に切り替えることを特徴とする請求項１記載の撮影装置。
【請求項３】
前記制御手段は、前記撮影モードから前記再生モードに切り替えたとき、最後の撮影で得られた画像データを前記画像表示装置に表示させることを特徴とする請求項１又は２記載の撮影装置。
【発明の詳細な説明】
【技術分野】
【０００１】
本発明は、撮影モード及び再生モードを備えた撮影装置に関する。
【背景技術】
【０００２】
ＣＣＤ型やＭＯＳ型のイメージセンサで撮像した被写体光をデジタルの画像データに変換し、内蔵メモリやメモリカードなどの記憶媒体に記憶する撮影装置（デジタルカメラ）が普及している。このようなデジタルカメラには、ＬＣＤ（Liquid Crystal Display）などの画像表示装置が設けられており、撮影で得られた画像データが記録媒体に記録された後、この画像データをＬＣＤ上に表示させて画像を確認することができる。このとき、撮影者は、デジタルカメラに設けられたモード切り替えダイヤルを操作し、撮影モードで撮影を行った後、再生モードに切り替えて画像表示を行う必要がある。このようなデジタルカメラにおける操作性の改良が多数なされている。例えば、ＬＣＤ上に表示されたメニューの各種設定変更操作を簡便に行い得るようにしたデジタルカメラがある（例えば、特許文献１参照）。
【０００３】
【特許文献１】特開２０００−３５８１８１号公報
【発明の開示】
【発明が解決しようとする課題】
【０００４】
しかしながら、特許文献１に記載のデジタルカメラにおいてもモード切り替え時に、ダイヤルやボタンの操作が必要であり、例えば、撮影モードと再生モードの間で瞬時に切り替え操作を行うことができず、しかも通常は両手による操作が要される。また、このようなデジタルカメラでは、モード切り替え操作に時間がかかり、モード切り替え操作を行っている間に発生した急なシャッターチャンスを逃してしまうこともある。
【０００５】
本発明は、上記課題を鑑みてなされたものであり、撮影モードと再生モードとのモードの切り替えを片手で簡単に行うことのできる撮影装置を提供することを目的とする。
【課題を解決するための手段】
【０００６】
上記目的を達成するために、本発明の撮影装置は、被写体の撮影を行う撮影モードと、撮影によって得られた画像データを画像表示装置に表示させる再生モードとを備えた撮影装置において、この撮影装置の姿勢を検出する姿勢検出センサと、この姿勢検出センサが検出した姿勢に応じて前記撮影モードと前記再生モードとを選択的に切り替える制御手段とを設けたことを特徴とするものである。
【０００７】
なお、前記制御手段は計時機能を備え、前記姿勢検出センサが検出した姿勢と、この姿勢の継続時間とに応じて、前記撮影モードと前記再生モードとを選択的に切り替えることも好適である。
【０００８】
また、前記制御手段は、前記撮影モードから前記再生モードに切り替えたとき、最後の撮影で得られた画像データを前記画像表示装置に表示させることが好ましい。
【発明の効果】
【０００９】
本発明の撮影装置によれば、撮影装置の姿勢を検出し、検出された姿勢に応じて撮影モードと再生モードとを選択的に切り替えるようにしたので、このモード切り替えを行うには撮影装置の姿勢を変えるだけでよく、ユーザは撮影装置を保持した片手で簡単に撮影モードと再生モードとのモード切り替えを行うことができる。
【発明を実施するための最良の形態】
【００１０】
図１及び図２において、本発明を適用したデジタルカメラ２の前面には、撮像レンズ１０が組み込まれたレンズ鏡胴１１が設けられている。レンズ鏡胴１１の上部には、ポップアップ式のストロボ装置１２が設けられている。デジタルカメラ２の上面には、レリーズボタン１３、電源スイッチ１４、モード切り替えダイヤル１５などが設けられており、側面には、メモリカードが着脱自在に装填されるメモリカードスロットを覆う蓋１６が設けられている。また、内部には、撮像機構を構成する各種部品のほか、デジタルカメラ２の姿勢を検出する姿勢検出センサ１７が埋設されている。
【００１１】
デジタルカメラ２の背面には、電子ビューファインダを構成するファインダ接眼窓１８、液晶表示装置（ＬＣＤ）１９、及び操作部２０が設けられている。ＬＣＤ１９には、撮影した画像や、いわゆるスルー画像、あるいは各種メニュー画面が表示される。操作部２０は、撮像レンズ１０のズームレンズをワイド側、テレ側に変倍するズーム操作ボタン２１や、ＬＣＤ１９にメニュー画面を表示させる際や、選択内容を決定する際に操作されるメニューボタン２２、及びメニュー画面内でカーソルを移動させる十字キー２３から構成される。なお、ＬＣＤ１９に代えてＥＬ（Electro Luminescence）ディスプレイなどの電子表示装置を用いることも可能である。
【００１２】
モード切り替えダイヤル１５が回動操作されることで、静止画撮影を行う静止画撮影モード、あるいは動画撮影を行う動画撮影モードが選択される。このようにして選択された静止画撮影モードまたは動画撮影モードのいずれかの撮影モードと、撮影した画像をＬＣＤ１９に表示する再生モードとは、姿勢検出センサ１７によって検出されるデジタルカメラ２の縦、横の姿勢に応じて選択的に切り替えられる。なお、動画撮影モードでは、動画の撮影とともに、図示しないマイクロホンを介して周囲の音声が収録される。
【００１３】
レリーズボタン１３は、２段階押しのスイッチとなっている。電子ビューファインダまたはＬＣＤ１９によるフレーミングの後に、レリーズボタン１３を軽く押圧（半押し）すると、自動露光調整（ＡＥ）、自動焦点調整（ＡＦ）などの各種撮影準備処理が施される。この状態でレリーズボタン１３をもう１度強く押圧（全押し）すると、撮影準備処理が施された１画面分の撮像信号が画像データに変換された後、後述する画像処理および圧縮処理が施され、メモリカードに記録される。
【００１４】
デジタルカメラ２の電気的構成を示す図３において、撮像レンズ１０には、レンズモータ３０が接続されている。また、絞り３１には、アイリスモータ３２が接続されている。これらのモータ３０，３２はステッピングモータであり、ＣＰＵ３３に接続されたモータドライバ３４，３５から送信される駆動パルスによって動作制御されて、レリーズボタン１３の半押しに伴う撮影準備処理を行う。
【００１５】
レンズモータ３０は、ズーム操作ボタン２０の操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ３２は、絞り３１を動作させ、露出調整を行う。
【００１６】
撮像レンズ１０の背後には、撮像レンズ１０を透過した被写体光が撮像されるＣＣＤ３６が配置されている。ＣＣＤ３６には、ＣＰＵ３３によって制御されるタイミングジェネレータ（ＴＧ）３７が接続され、このＴＧ３７から入力されるタイミング信号（クロックパルス）により、電子シャッタのシャッタ速度が決定される。
【００１７】
ＣＣＤ３６から出力された撮像信号は、相関二重サンプリング回路（ＣＤＳ）３８に入力され、ＣＣＤ３６の各セルの蓄積電荷量に正確に対応したＲ、Ｇ、Ｂの画像データとして出力される。ＣＤＳ３８から出力された画像データは、増幅器（ＡＭＰ）３９で増幅され、Ａ／Ｄ変換器（Ａ／Ｄ）４０でデジタルの画像データに変換される。
【００１８】
Ａ／Ｄ４０から出力された画像データは、画像信号処理回路４１に入力され、階調変換、ホワイトバランス補正、γ補正処理などの各種画像処理が施される。画像信号処理回路４１から出力された画像データは、ＳＤＲＡＭ４３に一旦格納され、ＬＣＤドライバ４４を介してＬＣＤ１９にスルー画像として表示される。または、図示しない電子ビューファインダドライバを介して電子ビューファインダに表示される。
【００１９】
ＹＣ変換処理回路４５は、画像信号処理回路４１で各種画像処理が施された画像データをＳＤＲＡＭ４３から読み出し、輝度信号Ｙと色差信号Ｃｒ、Ｃｂとに変換する。圧縮伸長処理回路４６は、この変換された画像データに対して、所定の圧縮形式（例えばＪＰＥＧ形式）で画像圧縮を施す。圧縮された画像データは、メディアコントローラ４７を経由してメモリカード４８に記録される。
【００２０】
ＣＰＵ３３には、姿勢検出センサ１７、レリーズボタン１３、操作部２０の他に、ＥＥＰＲＯＭ４９が接続されている。ＥＥＰＲＯＭ４９には、各種制御用のプログラムや設定情報などが記録されている。ＣＰＵ３３は、これらの情報をＥＥＰＲＯＭ４９から作業用メモリであるＳＤＲＡＭ４３に読み出して、各種処理を実行する。
【００２１】
バス４２には、露出量、すなわち電子シャッタのシャッタ速度、及び絞り３１の絞り値が撮影に適切か否かを検出するとともに、ホワイトバランスが撮影に適切か否かを検出するＡＥ／ＡＷＢ検出回路５０と、撮像レンズ１０の焦点調整が撮影に適切か否かを検出するＡＦ検出回路５１と、ストロボ装置１２の動作を制御するストロボ制御回路５２と、パーソナルコンピュータなどの外部機器とのデータの送受信を行う通信Ｉ／Ｆ５３とが接続されている。
【００２２】
各検出回路５０，５１は、レリーズボタン１３の半押し時に、バス４２を介してＣＰＵ３３に検出結果を逐次送信する。ＣＰＵ３３は、各検出回路５０，５１から送信される検出結果に基づいて、撮像レンズ１０、絞り３１、及びＣＣＤ３６の動作を制御する。
【００２３】
図４（Ａ）及び図４（Ｂ）において、重力方向に対するデジタルカメラ２の姿勢を検出する姿勢検出センサ１７は、振り子６０及び２つのスイッチ６１，６２によって構成されている。スイッチ６１，６１のそれぞれの一端は一体となってＣＰＵ３３の所定の端子に接続されており、スイッチ６１の他端は接地され、スイッチ６２の他端は３Ｖの電源に接続されている。振り子６０の備える球体６０ａは、スイッチ６１，６２の切片６１ａ，６２ａのいずれかを押圧し、これによりスイッチ６１，６２は短絡（オン）または開放（オフ）される。
【００２４】
図４（Ａ）は、デジタルカメラ２が横の姿勢（図５（Ａ）に示す姿勢）にある場合の姿勢検出センサ１７の状態を示す。このとき、スイッチ６１はその切片６１ａが振り子６０の球体６０ａによって押圧されて短絡し、スイッチ６２は開放されているので、姿勢検出センサ１７からＣＰＵ３３には０Ｖの接地電位が出力されている。図４（Ｂ）は、デジタルカメラ２が上記横の姿勢から撮影光軸に対して右に９０度回転させた縦の姿勢（図５（Ｂ）に示す姿勢）にある場合の姿勢検出センサ１７の状態を示す。このとき、振り子６０の球体６０ａは重力方向へ移動しているので、スイッチ６１は開放され、スイッチ６２は切片６２ａが振り子６０の球体６０ａによって押圧されて短絡しており、姿勢検出センサ１７からＣＰＵ３３には３Ｖの電位が出力される。なお、図中の矢印Ｇは、重力の方向を示している。
【００２５】
ＣＰＵ３３は、姿勢検出センサ１７から入力される上記電位に基づいてデジタルカメラ２を撮影モードと再生モードとの間で切り替える制御を行う。姿勢検出センサ１７からＣＰＵ３３に０Ｖの電位が入力された場合には、モード切り替えダイヤル１５によって設定された静止画撮影モードまたは動画撮影モードのいずれかの撮影モードが有効となって、デジタルカメラ２は撮影可能な状態となる。一方、姿勢検出センサ１７からＣＰＵ３３に３Ｖの電位が入力された場合には、再生モードへと切り替えられ、メモリカード４８に記録された画像データがＬＣＤ１９に表示可能な状態となる。
【００２６】
次に、上記構成を有するデジタルカメラ２の動作（第１実施形態）について説明する。まず、デジタルカメラ２で被写体の撮影を行う際には、ユーザが電源スイッチ１４を操作してデジタルカメラ２の電源を投入し、モード切り替えダイヤル１５を操作して静止画撮影モード、あるいは動画撮影モードを選択する。
【００２７】
この状態で、図６に示す流れに沿った処理がＣＰＵ３３に統轄されて実行される。姿勢検出センサ１７によってデジタルカメラ２の姿勢検出が行われ、デジタルカメラ２が図５（Ａ）に示した横の姿勢であると検出された場合には、モード切り替えダイヤル１５で設定された静止画撮影モードまたは動画撮影モードのいずれかの撮影モードとなる。この撮影モード下において、撮像レンズ１０に入射した被写体光は、上記のようにデジタルの画像データへと順次変換され、電子ビューファインダまたはＬＣＤ１９にスルー画像として表示される。デジタルカメラ２は、この横の姿勢に保たれている間、レリーズボタン１３がユーザによって操作されるまで撮影モードが持続される。
【００２８】
一方、デジタルカメラ２が、図５（Ｂ）に示した縦の姿勢であると検出された場合には、再生モードへと切り替えられ、ＣＰＵ３３がメディアコントローラ４７及びＬＣＤドライバ４４を制御してメモリカード４８に記録された画像データがＬＣＤ１９に表示可能な状態となる。このとき、メモリカード４８に既に記録されている画像データの中から最後の撮影で得られた（すなわち最新の日付の）画像データを自動的に表示させる。この後、姿勢検出センサ１７による姿勢の検出が継続される。デジタルカメラ２は、縦の姿勢に保たれている間、再生モードが持続され、ユーザはメニューボタン２２や十字キー２３の操作によって、ＬＣＤ１９に表示する画像データを適宜変更して閲覧することができる。なお、縦の姿勢におけるＬＣＤ１９への画像データの表示は、ユーザに見やすいように表示方向を適宜回転させることが好適である。
【００２９】
デジタルカメラ２が横の姿勢であって、撮影モードが持続されている場合に、レリーズボタン１３が半押しされると撮影準備処理が施され、続いて全押しされると撮影が実行される。静止画撮影モード下では、そのときＳＤＲＡＭ４３に格納されている画像データが圧縮処理されてメモリカード４８に記録される。一方、動画撮影モード下では、レリーズボタン１３が再度全押しされるまで、一定のフレームレート（例えば３０フレーム／秒）で画像データが記録される。また、これと同時にマイクロホンを介して周囲の音声が収録される。マイクロホンで収録された音声は、画像データと関連付けられてメモリカード４８に記録される。なお、この撮影終了後、再びデジタルカメラ２の上記姿勢検出のステップに戻るようにしてもよい。
【００３０】
このようにデジタルカメラ２は動作するので、ユーザは、メモリカード４８に記録された画像データを再生したい場合にデジタルカメラ２を傾けて縦の姿勢にするだけで、即座に再生モードへと切り替えることができる。このとき、最新の画像データを自動的に再生ことで、撮影直後の画像確認を容易にすることができる。また、この画像データの再生中においても、デジタルカメラ２を横の姿勢に戻すだけで、即座に撮影モードへと切り替えて撮影を行うことができ、急なシャッターチャンスに対応することができる。このように、このモード切り替え操作は、ユーザは両手を用いることなく、デジタルカメラ２を保持した片手の動作によって簡単に行うことができる。
【００３１】
図７は、ＣＰＵ３３にカウンタ機能（すなわち計時機能）を付加して、デジタルカメラ２を図６に示した動作とは異なる動作をし得るようにした第２実施形態を示す。まず、先の第１実施形態と同様に、ユーザがデジタルカメラ２の電源を投入し、モード切り替えダイヤル１５を操作して静止画撮影モード、あるいは動画撮影モードを選択する。
【００３２】
この状態で、図７に示す流れに沿った処理がＣＰＵ３３に統轄されて実行される。姿勢検出センサ１７によってデジタルカメラ２の姿勢検出が行われ（ステップＳＴ１）、デジタルカメラ２が図５（Ａ）に示した横の姿勢であると検出された場合には、モード切り替えダイヤル１５で設定された静止画撮影モードまたは動画撮影モードのいずれかの撮影モードとなる。この撮影モード下において、電子ビューファインダまたはＬＣＤ１９にスルー画像が表示される。デジタルカメラ２は、この横の姿勢に保たれている間、レリーズボタン１３がユーザによって操作されるまで撮影モードが持続される。
【００３３】
一方、ステップＳＴ１の姿勢検出で、デジタルカメラ２が、図５（Ｂ）に示した縦の姿勢であると検出された場合には、ステップＳＴ２の姿勢検出に移行する。デジタルカメラ２がこの縦の姿勢に保たれている間、ＣＰＵ３３によるカウント動作が実行され、カウント数Ｎが所定回数のＬ回に達すると（ステップＳＴ３）、撮影モードへ移行し、レリーズボタン１３がユーザによって操作されるまで上記と同様な撮影モードが持続される。一方、カウント数ＮがＬ回に達する前に、ステップＳＴ２の姿勢検出によってデジタルカメラ２が横の姿勢であると検出された場合には再生モードへと移行して、この状態が持続され、ユーザはメニューボタン２２や十字キー２３の操作によって、ＬＣＤ１９に表示する画像データを適宜変更して閲覧することができる。なお、このとき、メモリカード４８に既に記録されている画像データの中から最後に撮影で得られた（すなわち最新の日付の）画像データを自動的に表示させる。
【００３４】
上記横または縦の姿勢における撮影モード下において、レリーズボタン１３が半押しされると（ステップＳＴ４又はステップＳＴ５）撮影準備処理が施され、続いて全押しされると撮影が実行される。静止画撮影モード下では、画像データが圧縮処理されてメモリカード４８に記録され、動画撮影モード下では、レリーズボタン１３が再度全押しされるまで、一定のフレームレート（例えば３０フレーム／秒）で画像データが記録される。また、これと同時にマイクロホンを介して周囲の音声が収録される。
【００３５】
このように第２実施形態のデジタルカメラ２は動作するので、ユーザは、メモリカード４８に記録された画像データを再生したい場合に、デジタルカメラ２を傾けて縦の姿勢にした後、所定時間内に横の姿勢に戻すと再生モードへと切り替えることができる。また、デジタルカメラ２を傾けて縦の姿勢にした後、所定時間が経過すると縦の姿勢のまま撮影モードとすることができ、この第２実施形態では、横、縦のいずれの姿勢においても撮影を行うことが可能となる。なお、この所定時間は、ステップＳＴ２とステップＳＴ３との間を繰り返すサイクル時間に回数Ｌを乗じて得られる時間となり、この回数Ｌは適宜の値に設定してよい。
【００３６】
上記第１及び第２実施形態では、図５（Ａ）の横の姿勢と、この横の姿勢から撮影光軸に対して右に９０度回転させた図５（Ｂ）の縦の姿勢とを検出するように姿勢検出センサ１７を構成したが、これに限定されず、上記横の姿勢から撮影光軸に対して左に９０度回転させた姿勢や、撮影光軸を鉛直下方や鉛直上方に向けた姿勢などを検出することができるように姿勢検出センサ１７を構成してもよい。また、姿勢検出センサ１７はジャイロスコープを用いて構成してもよい。
【００３７】
上記第１及び第２実施形態では、姿勢検出センサ１７が検出したデジタルカメラ２の姿勢に応じて、撮影モードと再生モードとを選択的に切り替えるようにしたが、これに限定されず、デジタルカメラ２の姿勢に応じて、メニュー設定モードなどの他のモードに切り替えるようにしてもよい。
【００３８】
上記第１及び第２実施形態では、撮影装置としてデジタルカメラを例示して説明したが、これに限定されず、他の撮影装置、例えばカメラ付き携帯電話やビデオカメラなどにも適用することができる。
【図面の簡単な説明】
【００３９】
【図１】本発明を適用したデジタルカメラの正面外観斜視図である。
【図２】デジタルカメラの背面外観図である。
【図３】デジタルカメラの電気的構成を示すブロック図である。
【図４】姿勢検出センサの構成を示す概略図であって、（Ａ）はデジタルカメラが横の姿勢にあるときの姿勢検出センサの様子を示す図であり、（Ｂ）デジタルカメラが縦の姿勢にあるときの姿勢検出センサの様子を示す図である。
【図５】（Ａ）は、横の姿勢にあるデジタルカメラの背面外観図であり、（Ｂ）は縦の姿勢にあるデジタルカメラの背面外観図である。
【図６】第１実施形態のデジタルカメラで実行される処理動作を示すフローチャートである。
【図７】第２実施形態のデジタルカメラで実行される処理動作を示すフローチャートである。
【符号の説明】
【００４０】
２  デジタルカメラ
１０  撮像レンズ
１３  レリーズボタン
１５  モード切り替えダイヤル
１７  姿勢検出センサ
１９  液晶表示装置（ＬＣＤ）
２０  操作部
３３  ＣＰＵ
３６  ＣＣＤ
４１  画像信号処理回路
４３  ＳＤＲＡＭ
４４  ＬＣＤドライバ
４７  メディアコントローラ
４８  メモリカード
６０  振り子
６０ａ  球体
６１，６２  スイッチ
６１ａ，６２ａ  切片
【図１】
2005236883.tif 000003
【図２】
2005236883.tif 000004
【図３】
2005236883.tif 000005
【図４】
2005236883.tif 000006
【図５】
2005236883.tif 000007
【図６】
2005236883.tif 000008
【図７】
2005236883.tif 000009